(57)【要約】【課題】戸を閉じるときに指詰めの危険性がなく、かつ低コストで実施することのできる折戸の折戸構造を提供する。【解決手段】連結部１１で連結される２枚の戸板１２の隣り合った連結端部１２ａのそれぞれは、それら連結端部１２ａが向かい合ったときに、両戸板１２の手前側の面に凹溝空間１３が形成されるように、角部１２ａｂが切り取られた構造とされ、切り取られた端面１２ａｃ間に遮蔽物１４が設けられて、連結端部１２ａの端面１２ａａを覆い隠すようにしている。【選択図】図１
2010007427.tif 000002
【特許請求の範囲】
【請求項１】
複数の戸板が折り畳み可能に連結され、それらの連結部が手前側に突出するようにして開く折戸構造において、
上記連結部で連結される２枚の戸板の隣り合った連結端部のそれぞれは、それら連結端部が向かい合ったときに、両戸板の手前側の面に凹溝空間が形成されるように、角部が切り取られた構造とされ、
上記切り取られた端面間に遮蔽物が設けられて、上記連結端部の端面を覆い隠すようにしたことを特徴とする折戸構造。
【請求項２】
請求項１において、
上記遮蔽物は蛇腹膜で構成されている折戸構造。
【請求項３】
請求項１または２において、
上記折戸の連結部には、上記遮蔽物の奥方で、手前側に突出する安全部材をさらに設けている折戸構造。
【発明の詳細な説明】
【技術分野】
【０００１】
本発明は、複数の戸板が折り畳み可能に連結され、それらの連結部が手前側に突出するようにして開く折戸構造に関するものである。
【背景技術】
【０００２】
従来の折戸は、折戸を開くときには、隣り合う２枚の戸板を連結した連結部が手前側に突出し、各戸板の連結端部の端面は扇のように開き、戸板を完全に折り畳むまで開くと２枚の戸板の連結端部の端面はほぼ正面を向く。一方、折戸を閉じるときには、２枚の戸板の連結端部の端面がはさみのように閉じてゆく。
【０００３】
したがって、折戸が開いた状態で、両戸板の連結端部間を指で押えながら折戸を閉じようとすれば、２枚の戸板の連結端部間に指が挟まれるおそれがある。
【０００４】
このような事故が発生しないように、それぞれの戸板の連結端部間を蛇腹で接続して、折戸を開いているときでも、伸びた蛇腹が、連結端部間に指が入れられないように連結端部間を遮蔽した構造の折戸が提案されている（特許文献１を参照）。
【特許文献１】実登３００４７９５号公報
【発明の開示】
【発明が解決しようとする課題】
【０００５】
しかしながら、折戸を閉じたときの両戸板間の隙間は通常のもので２，３ｍｍ程度であり、その隙間に収縮した蛇腹を収容することはきわめて困難である。したがって、上記文献技術を実施するには、収縮した蛇腹を収容できるような十分な隙間が形成されるような折戸を新たに製造しなければならないが、折戸の全体幅を変更しない場合には各戸板の幅寸法を変えなければならず、新たな戸板を製造する必要がある。そのため、低コストでは実施できない。また、後付けすることも不可能である。
【０００６】
一方、簡易に指詰めを防止できる折戸として、折戸を完全に閉じたときに両戸板の連結部の手前側の面にＶ溝状の空間が形成されるものがある。
【０００７】
図９（ａ）、（ｂ）は、この種の折戸の開閉状態を示した連結部の横断面図である。すなわち、この折戸１００を構成する一対の戸板１０２のそれぞれは、連結部１０１において隣り合う連結端部１０２ａに面取りカット面１０２ｂが形成されており、折戸１０２を完全に閉じたときには上下に走るＶ溝１０３が形成されるため、そのカット面１０２ｂに指を当てて折戸１０２を閉じれば指を挟まれることはない。なお、１０２ｃは戸板１０２の支軸１０１ａ側の角部間にできる隙間である。
【０００８】
ところが、このような指詰め防止構造であっても、そのような構造を知る者にとっては安全であるが、知らない者は閉操作中に指をカット面１０２ｂより深く奥に入れてしまい、指詰めを起こすおそれがある。さらに、幼児などは、蝶番を設置した支軸１０１ａ側の角部間のわずかな隙間１０２ｃに指を入れてしまうおそれもある。
【０００９】
本発明は、このような事情を考慮して提案されたもので、その目的は、戸を閉じるときに指詰めの危険性がなく、かつ低コストで製造することのできる折戸の折戸構造を提供することにある。
【課題を解決するための手段】
【００１０】
上記目的を達成するために、請求項１に記載の折戸構造は、複数の戸板が折り畳み可能に連結され、それらの連結部が手前側に突出するようにして開く折戸構造において、連結部で連結される２枚の戸板の隣り合った連結端部のそれぞれは、それら連結端部が向かい合ったときに、両戸板の手前側の面に凹溝空間が形成されるように、角部が切り取られた構造とされ、切り取られた端面間に遮蔽物が設けられて、連結端部の端面を覆い隠すようにしたことを特徴とする。
【００１１】
請求項２に記載の折戸構造は、遮蔽物が蛇腹膜で構成されている。
【００１２】
請求項３に記載の折戸構造は、折戸の連結部には遮蔽物の奥方で、手前側に突出する安全部材をさらに設けている。
【発明の効果】
【００１３】
請求項１に記載の折戸構造によれば、折戸が閉じたときに、手前側に、隣り合う戸板の切り取られた角部による凹溝空間が形成されるようになっているので、その切り取られた端面間の空間に、収縮し、あるいは折り畳まれた遮蔽物を収容させることができる。また、遮蔽物を、凹溝空間に収容できる構成であるため、戸板は、従来品と同一幅寸法のものを面取り加工などしたものを使用できる。そのため、専用の戸板を製造する必要はなく、低コストで折戸を製造できる。また、連結端部の端面間の最前面側が遮蔽物で遮蔽される構造であるため、指の進入を確実に阻止でき、連結端部の端面間への指詰めの危険性はない。もちろん、連結端部の最も奥側の連結支軸側にできる両戸板の隙間への指詰めも防止できる。
【００１４】
請求項２に記載の折戸構造によれば、遮蔽物が蛇腹膜で構成されているため、収縮したときにはコンパクトに収容でき、また伸張したときには指の進入を確実に遮断できる。
【００１５】
請求項３に記載の折戸構造によれば、折戸の連結部には、遮蔽物の奥方で、手前側に突出する安全部材をさらに設けているので、遮蔽物が指で強く押し込まれて奥側に凹んでも、安全部材が突出しているため、指が安全部材に当たり、それ以上の指の進入を阻止できる。また、折戸を閉操作する者は、指が安全部材に当たるので危険を察知できる。
【発明を実施するための最良の形態】
【００１６】
以下に、本発明の実施の形態について、添付図面を参照しながら説明する。
【００１７】
図１は、本発明の折戸構造の一実施形態を示した折戸の設置状態を示す横断面図、および折戸の拡大部分横断面図である。図２は、同折戸の閉止状態（図１のＸ２）における連結部の拡大部分横断面図である。なお図２では、連結部の形状を説明するために、本発明の要部構成部材である遮蔽物の図示を省略している。また図３（ａ）、（ｂ）および図４（ａ）、（ｂ）は、図１のＸ１，Ｘ２に対応した同折戸の閉動作を時系列に示した拡大部分横断面図である。
【００１８】
この折戸１０は、クローゼットの扉や、隣接する部屋間の開閉可能な間仕切りとして使用される。図例のものは、連結された一対の戸板１２，１２よりなる折戸１０が２組、敷居２３に敷設したレール２４上を移動可能に取り付けられている。
【００１９】
より具体的には、折戸１０を構成する２枚の戸板１２は、隣り合う端部１２ａが蝶番１１ａで回動可能に連結されているとともに、一方の戸板１２の他方の端部１２ｂが、柱２１に取り付けた縦枠２２にヒンジ結合され、他方の戸板１２の他方の端部１２ｂがレール２４上に走行可能に取り付けられている。
【００２０】
このように、一方の戸板１２を縦枠２２に固定したものでは、他方の戸板１２をレール２３上で移動させる場合には、蝶番１１ａが回動して、連結部１１が移動しながら折戸１０は開閉される。
【００２１】
なお、本発明の折戸１０は、折戸１０を構成するいずれの戸板も縦枠にヒンジ結合されず、両戸板ともにレール２３上を移動するものにも適用が可能である。また、折戸は一対の戸板よりなるものに限定されず、複数対が連結されたものであってもよい。その場合、レール上でも戸板同士が連結されるが、その連結部は本明細書でいう連結部１１には含まれない。
【００２２】
折戸１０を構成する各戸板１２においては、連結部１１で連結され開動作のときに突出する連結端部１２ａでは、突出方向側（以下、手前側という。）の角部１２ａｂが面取りされ、端面１２ａａには傾斜した面取りカット面１２ａｃが形成されている。折戸１０が閉じているときには、２枚の戸板１２には、面取りカット面１２ａｃが隣り合うことによって、手前側の戸板面に上下に走るＶ字状に漸開した凹溝状の空間１３が形成される（図２を参照）。また、蝶番１１ａの支軸１１ｂは、連結端部１２ａの奥の角部間の隙間１２ｃに設けられ、その隙間１２ｃは、折戸１０を閉じたときでも手前側の凹溝空間１３に連通している。
【００２３】
そして、本実施形態では、切り取られた端面（面取りカット面１２ａｃ）間には遮蔽物としての蛇腹膜１４が設けられ、折戸１０が閉じたときには蛇腹膜１４は凹溝空間１３に収容されるようになっている。すなわち、蛇腹膜１４の一端は一方の戸板１２の面取りカット面１２ａｃに取付部材１４ａを介して接続され、他端が他方の戸板１２の面取りカット面１２ａｃに取付部材１４ａを介して接続されている。なお、取付部材１４ａは、接着剤、ビスなどで面取りカット面１２ａｃに固着されている。また、蛇腹膜１４は取付部材１４ａを介さずに両端を面取りカット面１２ａｃに接続するようにしてもよい。
【００２４】
蛇腹膜１４は、波打つように折目を有したもので、折戸１０の開動作にともなって伸張してゆき、図１の拡大図に示すように、ほぼ全開して連結部１１が手前側に突出した状態になると、折目が伸びて、両戸板１２の面取りカット面１２ａｃを含む正面を向いた連結端部１２ａの端面１２ａａを覆い隠す。なお、蛇腹膜１４は、布、樹脂などより製され、素材自体に伸縮性のあるものが望ましい。
【００２５】
このように、蛇腹膜１４は両戸板１２の連結端部１２ａの手前側に位置する面取りカット面１２ａｃに接続されているため、折戸１０がどのような状態にあっても、面取りカット面１２ａｃを含む連結端部１２ａの端面１２ａａおよびさらに奥方の蝶番１１ａを設けた戸板間の隙間１２ｃを覆い隠す。
【００２６】
人が、開放された戸板１２のレール２３上の端部１２ｂを横に引きながら、他方の手で連結部１１を押し込んで折戸１０を閉める際には、それにともなって折戸１０は、図３（ａ）、（ｂ）、図４（ａ）の順に閉動作し、最終的に図４（ｂ）の閉止状態となる。
【００２７】
この閉動作過程においても常時、徐々に収縮してゆく蛇腹膜１４が遮蔽物となって両戸板１２の連結端部１２ａを覆い隠すため、その蛇腹膜１４によって、連結部１１を押し込む手の指が閉じてゆく連結端部１２ａ間に挟みこまれることを阻止できる。そのため、折戸１０の閉動作において指詰めを防止できる。もちろん、蛇腹膜１４の奥方にできる両戸板１２の隙間１２ｃへ、幼児などの指が挿入されることも防止できる。
【００２８】
また、折戸１０が閉止された状態でも、両戸板１２の面取りカット面１２ａｃによって凹溝空間１３が形成されているので、蛇腹膜１４は収縮した状態でその凹溝空間１３に収容される（図２、図４（ｂ）を参照）。なお、面取りカット面１２ａｃは、収縮した蛇腹膜１４の厚みに応じて適宜、寸法を調整すればよい。
【００２９】
このように、本折戸１０は蛇腹膜１４を面取りされてできる凹溝空間１３に収容できる構成であるため、折戸１０を構成する戸板１２は、従来品と同一幅寸法のものを面取り加工して使用できる。そのため、本実施形態の折戸を実施するために、幅寸法の小さい戸板を新たに製造する必要はなく、簡易に低コストで折戸１０を製造できる。
【００３０】
また従来では、折戸に使用される戸板には、図９に示したように、簡易な指詰め防止手段として面取りカット面が形成されているものがあるが、このようなものに蛇腹膜１４を後付けして、指詰め防止用の折戸１０を構成することもできる。
【００３１】
さらに、本実施形態の折戸構造によれば、凹溝空間１３によって遮蔽膜１４を収容する構造であるため、折目の多い、つまり収縮した状態でも十分に厚みのある蛇腹膜１４を遮蔽膜として使用することができる。そして、このような蛇腹膜１４を使用する構造によれば、折戸が開いて蛇腹膜１４が伸びた状態でも、図１の拡大図に示したように、蛇腹膜１４を、連結端部１２ａの端面１２ａａとの間に十分な距離のある空間を形成させる程度に弾力のある状態に保持させることができる。このように、蛇腹膜１４は開いた状態でも弾力があるため、そこを押して閉操作する者に危険察知させやすく、また出っ張りが大きいため、連結端部を十分に目立たせることもできる。
【００３２】
また、図５（ａ）、（ｂ）の連結部１１の横断面図に示すように、戸板１０の連結端部１２ａの手前側角部１２ａｂを種々の形状に切り取って、連結端部１２ａが向かい合ったときにＵ溝など種々の形状の凹溝空間１３ができるものでもよい。Ｕ溝空間１３を形成するものでは、蛇腹膜１４の収容部を広くでき、そのため折戸１０を閉じたときに蛇腹膜１４が手前側に突出することがなく、見映えがよくなる。なお、図５の他の構成については、図１〜４のものと同様であるため、同一符号を付して、その説明は省略する。
【００３３】
以上に示した蛇腹膜で代表される遮蔽物１４は、美観を考慮すれば折戸１０の連結部１１の下端から上端までにわたって取り付けることが望ましいが、幼児の指詰め対策として、下端より所定の高さまでに部分的に取り付けるようにしてもよい。
【００３４】
また、折戸１０を間仕切りとして使用する場合には、遮蔽物１４が隣室の明かりの漏れるのを防止でき、その場合には、なるべく下端から上端までの全域を塞ぐものを使用することが望ましい。
【００３５】
図６は、遮蔽物を他の部材で形成した折戸１０の連結部１１の横断面図である。
【００３６】
この例では、遮蔽物が、折戸１０が閉止状態にあっては中央で奥側に折れ曲がるとともに、折戸が開くにつれて伸張し、折曲部が手前側に突出するような、伸縮性を有した部材１４Ｂで構成されている。例えば、中央部で奥方に折れ曲がるように加工したゴム膜、布、樹脂材料などが使用できる他、形状安定素材が使用できる。なお、ゴム膜は、折戸の開状態を維持できる程度の弾性復帰力を有したものが好ましい。
【００３７】
また、その他の遮蔽物として、伸縮性がほとんどなく、折戸の開閉にともなって、展開、折り畳みがなされる形状安定型の膜材を使用してもよい。
【００３８】
図７，８は、本発明のさらに他の実施形態を示した説明図で、図７は折戸１０の連結部１１の横断面図、図８は折戸１０の背面図である。
【００３９】
この折戸１０には、遮蔽物１４の奥方に、両戸板１２を連結した蝶番１１ａの支軸１１ｂより手前側に突出した安全部材１５が設けられている。この安全部材１５は、ゴムなどを板状に成形してなり、戸板１２の略同一長さの本体１５ａと、その長手方向に沿って３箇所に形成された取付片１５ｂとを断面視Ｔ字状に形成してなるものである。図８に示すように、安全部材１５は、取付片１５ｂが蝶番１１ａと同様に戸板１２の裏側に３箇所で固着されて、本体１５ａが両戸板１２の連結端部１２ａ間に挟まれるように固定、配置されている。
【００４０】
なお、本実施形態においても遮蔽物として蛇腹膜１４が使用されたものを示したが、折戸１０の開閉動作にともなう蛇腹膜１４の動作説明は、図１〜４のものと同様であるため説明を省略する。
【００４１】
折戸１０が開状態にあって、図７に示すように蛇腹膜１４が指で強く押し込まれると、蛇腹膜１４は奥側に凹むが、安全部材１５の本体１５ａが突出しているため、進入してきた指が安全部材１５に当たり、それ以上の指の進入を阻止できる。また、折戸１０を閉操作する者は、指が安全部材１５に当たるので危険を察知できる。さらに、指で蛇腹膜１４が破れたときでも、安全部材１５が遮蔽物として作用するため安全である。
【００４２】
また、安全部材１５は、図７に示すように、折戸１０が閉止状態のときに本体１５ａが凹溝空間１３まで延びたものが望ましいが、蛇腹膜１４を指で押し込んだときに本体１５ａに当たるものであれば、凹溝空間１３に突出しない程度の寸法のものでもよい。図７のように、閉止した状態でも本体１５ａが空間１３に突出していれば、折戸１０が閉じた状態で、幼児などが指をむりやり差し込んでくることを禁止できる。
【図面の簡単な説明】
【００４３】
【図１】本発明の折戸構造の一実施形態を示した折戸の設置状態を示す横断面図、および折戸（連結部）の拡大部分横断面図である。
【図２】同折戸の閉止状態（図１のＸ２）における連結部の遮蔽物を省略した拡大部分横断面図である。
【図３】（ａ）、（ｂ）は同折戸（連結部）の拡大部分横断面図である。
【図４】（ａ）、（ｂ）は同折戸（連結部）の拡大部分横断面図である。
【図５】（ａ）、（ｂ）は凹溝空間の他例を示す連結部の横断面図である。
【図６】（ａ）、（ｂ）は、他の遮蔽物を使用した折戸の動作を示す連結部の横断面図である。
【図７】本発明の折戸構造の一実施形態を示した折戸の連結部の横断面図であり、（ａ）はやや開いた状態、（ｂ）は閉じた状態を示している。
【図８】同折戸の背面図である。
【図９】従来の折戸の連結部の横断面図で、（ａ）は開いた状態、（ｂ）は閉じた状態を示している。
【符号の説明】
【００４４】
１０      折戸
１１      連結部
１１ａ      蝶番
１１ｂ      支軸
１２      戸板
１２ａ      連結端部
１２ａａ      端面
１２ａｂ      角部
１２ａｃ      面取りカット面（切り取られた端面）
１２ｂ      他の端部
１２ｃ      隙間
１３      凹溝空間
１４      遮蔽物
１４ａ      取付部材
１５      安全部材
１５ａ      本体
１５ｂ      取付片
【図１】
2010007427.tif 000003
【図２】
2010007427.tif 000004
【図３】
2010007427.tif 000005
【図４】
2010007427.tif 000006
【図５】
2010007427.tif 000007
【図６】
2010007427.tif 000008
【図７】
2010007427.tif 000009
【図８】
2010007427.tif 000010
【図９】
2010007427.tif 000011